(57)【要約】【課題】記録手段により記録されているデジタルデータを表示する表示手段は、着脱自在な構成にすると共に記録手段により記録されているデジタルデータと同じデータを保存するメモリ手段を備えた構成にしたことで、従来必要であった記録紙や記録紙に印字するインク等の補用品を削減することができる記録計を提供する。【解決手段】記録計は、外部から入力される計測データをデジタルデータに変換してメモリに記録する記録手段と、前記記録手段により記録されているデジタルデータを表示器に表示する表示手段と、を備えた記録計であって、前記表示手段は、記録計の本体に着脱自在な構成にすると共に折り曲げ可能な表示器で構成されていることである。【選択図】  図１
2009236647.tif 000002
【特許請求の範囲】
【請求項１】
外部から入力される計測データをデジタルデータに変換してメモリに記録する記録手段と、
前記記録手段により記録されているデジタルデータを表示器に表示する表示手段と、
を備えた記録計であって、
前記表示手段は、記録計の本体に着脱自在な構成にすると共に折り曲げ可能な表示器で構成されていることを特徴とする記録計。
【請求項２】
前記表示手段は、記録計の本体から取り外した際に広げられるように内部へ曲げて収納されており、折り曲げ状態に合わせて表示範囲を変更することを特徴とする請求項１に記載の記録計。
【請求項３】
前記表示手段は、本体から取り外したときでも操作できる操作手段を備えたことを特徴とする請求項１又は２に記載の記録計。
【発明の詳細な説明】
【技術分野】
【０００１】
本発明は、記録計に関し、詳しくはペーパー記録計とペーパーレス記録計の両方の特徴を有する記録計に関する。
【背景技術】
【０００２】
従来技術における記録計は、工場等で温度、直流電圧等を測定し、その測定データを記録紙へ書き込む、又はメモリＩＣ等のメモリ手段に保存し、データの確認、保管に使用されているものが周知である。
【０００３】
測定データを記録紙に印字する等のペーパー記録計は、図１０に示すように、アナログデータである測定データを入力してデジタルデータに変換するアナログデジタル変換器（ＡＤＣ）１３と、特定用途向けのアプリケーションを備え、アナログデジタル変換器１３で変換されたデジタルデータを取り込んで処理するＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）１４と、ＡＳＩＣ１４に接続して所定のデータを取り込んで所定のプログラムを処理するＣＰＵ１５と、処理されたデータを記憶する揮発性メモリＩＣ１６と、ＣＰＵ１５に接続され処理されたデータ等を表示するサブ表示器４１と、ＡＳＩＣ１４よりの指示で記録紙４４の位置決めをする位置決め機構４２と、位置決め機構４２で位置決めされた記録紙４４に記録する記録機構４３と、記録紙４４とからなる。
【０００４】
このような構成において、測定されたアナログデータがＡＤＣ１３に入力され、デジタルデータに変換された後にＡＳＩＣ１４にて特定の処理が施されて、出力データを生成し、その出力データが位置決め機構４２により位置決めされた位置の記録紙４４に印字されて、出力する。
このように測定されたデータを表示するのは記録紙４４に行う構成になっている。
【０００５】
一方、ペーパーレスのペーパーレス記録計は、図１１に示すように、アナログデータである測定データを入力してデジタルデータに変換するアナログデジタル変換器（ＡＤＣ）１３と、特定用途向けのアプリケーションを備えたＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）１４と、所定のプログラムを処理するＣＰＵ１５と、ＣＰＵ１５で必要とするデータを記憶する揮発性メモリＩＣ１６と、測定データ、デジタル表示などの表示部を形成する表示器４５と、処理した測定データを記録する不揮発性メモリＩＣ１８とからなる。
表示器４５は、例えば、液晶表示器であり、ＶＦＤ（蛍光表示管；Ｖａｃｕｍｍ  Ｆｌａｏｒｅｓｃｅｎｔ  Ｄｉｓｐｌａｙ）、ＬＣＤ（Ｌｉｑｕｉｄ  Ｃｒｙｓｔａｌ  Ｄｉｓｐｌａｙ）等から構成されている。
【０００６】
このような構成において測定されたアナログデータがＡＤＣ１３に入力され、デジタルデータに変換された後にＡＳＩＣ１４にて特定の処理が施されて、出力データを生成し、その出力データが不揮発性メモリＩＣ１８に記憶されると共に、その出力データは適宜表示器４５に表示できる構成になっている。
【特許文献１】特開２００７―１３２６６２号公報（第４頁  第１図）
【発明の開示】
【発明が解決しようとする課題】
【０００７】
しかしながら、従来技術で説明したペーパー記録計においては、記録紙を再利用する際に過去のデータであるのか現在のデータであるのかの識別が困難であるという問題、又チャートが切れたり、インクが切れたりしたときに最新の記録が出来ないという問題、更に、記録紙などの補助用品のストック、交換が必要であるという問題がある。
又、ペーパーレス記録計においては、ペーパーレス記録計の表示器を取り外せるものが一般的ではなく、仮にあったとしても表示器自体が重く嵩張る等したり、記録紙のように簡単に書き込みをすることができないという問題、更にはディスプレイの表示範囲を超える場合、時間軸の変更、画面のスクロール等の操作をしなければならないという問題もある。
【０００８】
従って、ペーパー記録計の欠点を排除すると共にペーパーレス記録計の欠点も排除した、所謂、ペーパー記録計とペーパーレス記録計の両方の特徴を持つ記録計に解決しなければならない課題を有する。
【課題を解決するための手段】
【０００９】
上記課題を解決するために、本願発明の記録計は、次に示す構成にしたことである。
【００１０】
（１）外部から入力される計測データをデジタルデータに変換してメモリに記録する記録手段と、
前記記録手段により記録されているデジタルデータを表示器に表示する表示手段と、
を備えた記録計であって、
前記表示手段は、記録計の本体に着脱自在な構成にすると共に折り曲げ可能な表示器で構成されていることを特徴とする記録計。
（２）前記表示手段は、記録計の本体から取り外した際に広げられるように内部へ曲げて収納されており、折り曲げ状態に合わせて表示範囲を変更することを特徴とする（１）に記載の記録計。
（３）前記表示手段は、本体から取り外したときでも操作できる操作手段を備えたことを特徴とする（１）又は（２）に記載の記録計。
【発明の効果】
【００１１】
本発明においては、記録手段により記録されているデジタルデータを表示する表示手段は、着脱自在な構成にすると共に記録手段により記録されているデジタルデータと同じデータを保存するメモリ手段を備えた構成にしたことで、従来必要であった記録紙や記録紙に印字するインク等の補用品を削減することができる。
又、測定したデータは不揮発性メモリＩＣに記憶し、記憶されているデータを適宜折り曲げた表示器に表示できるようにしたため、長期にわたってデータを保存することが可能で且つ記録されているデータを折り曲げた表示器を広げて表示させることで視認性向上を図ることができる。
更に、表示器を着脱自在な構成にすることで、記録計から取り外して必要な場所で測定したデータを見ることができるため使い勝手のよい表示手段を得ることができる。
【発明を実施するための最良の形態】
【００１２】
次に、本願発明に係る記録計の実施例について図面を参照して説明する。尚、従来技術で説明したものと同じものには同一符号を付与して説明する。
【００１３】
本願発明の第１実施例の記録計は、図１乃至図３に示すように、従来のペーパーレス記録計の信号処理機構、測定データの保存の構成は同じであり、相違するのはサブ表示器が本体固定式の表示器であり、メイン表示器は折り曲げ可能な表示器を使用したものであり、ペーパー記録計同様、メイン表示器を外した場合でも測定値をサブ表示器で確認可能な構成となっている。加えて、測定データの保存は、メイン表示器の有無に関わらず、連続で内部不揮発性メモリＩＣへ連続記録を行う構成となっている。
【００１４】
このような特徴を有する記録計の構成は、図３に示すように、レコーダ本体部分１１と着脱可能な部分１２とに分離され、レコーダ本体部分１１にはアナログデータである測定データを入力してデジタルデータに変換するアナログデジタル変換器（ＡＤＣ）１３と、特定用途向けのアプリケーションを備えたＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）１４と、所定のプログラムを処理するＣＰＵ１５と、処理するデータを記憶する揮発性メモリＩＣ１６と、ＣＰＵ１５からの指示で表示するサブ表示器１７と、ＡＳＩＣ１４の処理で生成されたデータを記録する第１のメモリである不揮発性メモリＩＣ１８と、ＡＳＩＣ１４での操作を指示する操作回路１９と、ペン型のポインティングディバイスを制御するポインティングディバイス回路２１と、ＡＳＩＣ１４で処理されたデータを書き込み或いは読み出す書き込み読み出し回路２２とからなる。
着脱可能な部分１２には、折り曲げ可能な表示器２４を備えたメイン表示器２３を備えた構成になっている。
【００１５】
メイン表示器２３は、折り曲げ可能な表示器２４と第２のメモリである不揮発性メモリＩＣ２５を組み合わせたものであり、この不揮発性メモリＩＣ２５には、機器の設定内容、一定期間の測定データ等を保存するものであり、第１のメモリである不揮発性メモリＩＣ１８に記録されるデジタルデータと同じデータが蓄積される構成になっている。
【００１６】
このように、着脱可能な部分１２に不揮発性メモリＩＣ２５を備えることにより、他の記録計へメイン表示器２３を装着することにより、メイン表示器２３から他の記録計へ測定データを移したり、メイン表示器２３の不揮発性メモリＩＣ２５に保持されている測定データと、他の記録計に保持されている測定データを比較して表示したりすることができる。
なお、データの移動等をする必要がない場合は、着脱可能な部分１２に不揮発性メモリＩＣ２５を備えず、折り曲げ可能な表示器２４のみを備えた構成としてもよい。
【００１７】
このメイン表示器２３は、図１に示すように、レコーダ本体１１と着脱自在な構成になっており、サブ表示器１７の下部位置に書き込み読み出し回路２２と接続するコネクタ２６を設け、折り曲げ可能な表示器２４の片方の端部を折り曲げて収容部２０に収容した構成になっている。そして、図２に示すように、正面からみて上部側にサブ表示器１７、その下に操作回路１９に接続してある操作部２７を設け、その下に着脱自在な折り曲げ可能な表示器２４を備えている。
【００１８】
このような構成からなるメイン表示器２３は、本体から外した際に、広げられるよう内部へ曲げて収納可能な構造となっている。又、ポインティングディバイス回路２１に接続されたペン型ポインティングディバイス２８を利用して、折り曲げ可能な表示器２４の画面上へ書き込みを可能とする。
【００１９】
又、折り曲げ可能な表示器２４は、折り曲げ状態に合わせて表示範囲が変更される。本体に折り曲げて装着している時は、本体表面の視認可能な部分に表示を行い、本体から外して広げた時は、表示器全体に表示を行う。この表示範囲の切換は、折り曲げ可能な表示器２４の本体への着脱状態を検出して行う方法や、折り曲げ状態を検出して行う方法等がある。
【００２０】
このような構造としたことにより、記録紙や記録紙に印字するインク等が不要となり、所謂、補用品を削減できる。
又、入力したデータは不揮発性メモリＩＣ２５に記憶し、適宜折り曲げ可能な表示器２４に表示することが可能なため、長期データの視認性向上を図ることができる。
更に、表示器を着脱自在な構成にすることで、記録計から取り外して必要な場所で測定したデータを見ることができるため使い勝手のよい表示手段を得ることができる。
【００２１】
次に、本願発明の第２実施例の記録計について、図４乃至図６を参照して説明する。
【００２２】
本願発明の第２実施例の記録計は、第１実施例で説明した記録計と同じ構成にするもののサブ表示器をなくし、着脱自在なメイン表示器にサブ表示器で表示したものを重畳表示させるようにしたところに特徴がある。
【００２３】
このような特徴を有する記録計の構成は、図６に示すように、レコーダ本体部分１１と着脱可能な部分１２とに分離され、レコーダ本体部分１１にはアナログデータである測定データを入力してデジタルデータに変換するアナログデジタル変換器（ＡＤＣ）１３と、特定用途向けのアプリケーションを備えたＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）１４と、所定のプログラムを処理するＣＰＵ１５と、処理するデータを記憶する揮発性メモリＩＣ１６と、ＡＳＩＣ１４の処理で生成されたデータを記録する第１のメモリである不揮発性メモリＩＣ１８と、ＡＳＩＣ１４での操作を指示する操作回路１９と、ペン型のポインティングディバイスを制御するポインティングディバイス回路２１と、ＡＳＩＣ１４で処理されたデータを書き込み或いは読み出す書き込み読み出し回路２２とからなる。
着脱可能な部分１２には、折り曲げ可能な表示器２４を備えたメイン表示器２３を備えた構成になっている。
【００２４】
メイン表示器２３は、折り曲げ可能な表示器２４と第２のメモリである不揮発性メモリＩＣ２５を組み合わせたものであり、この不揮発性メモリＩＣ２５には、機器の設定内容、一定期間の測定データ等を保存するものであり、第１のメモリである不揮発性メモリＩＣ１８に記録されるデジタルデータと同じデータが蓄積される構成になっている。
【００２５】
このメイン表示器２３は、図４に示すように、レコーダ本体１１と着脱自在な構成となっており、書き込み読み出し回路２２と接続するコネクタ２６を設け、折り曲げ可能な表示器２４の片方の端部を折り曲げて収容部２０に収容した構成になっている。そして、図５に示すように、正面からみて中央位置に表示器を設け、この表示器への表示は、測定データ等の従来サブ表示器で表示した内容を重畳表示できる構成となっている。この表示器の下部位置に操作部２７を設けている。
このメイン表示器２３は、本体から外した際に、広げられるよう内部へ曲げて収納可能な構造となっている。又、ペン型ポインティングディバイス２８を接続し、折り曲げ可能な表示器２４へ書き込みを可能とする。
【００２６】
このような構造としたことにより、記録紙や記録紙に印字するインク等が不要となり、所謂、補用品を削減できる。
又、入力したデータは不揮発性メモリＩＣ２５に記憶し、適宜折り曲げ可能な表示器２４に表示することが可能なため、長期データの視認性向上を図ることができる。
更に、表示器を着脱自在な構成にすることで、記録計から取り外して必要な場所で測定したデータを見ることができるため使い勝手のよい表示手段を得ることができる。
【００２７】
次に、本願発明の第３実施例の記録計について、図７乃至図９を参照して説明する。
【００２８】
本願発明の第３実施例の記録計は、第１実施例で説明した記録計と同じ構成にするものの着脱可能部分に表示画面の操作を行う操作機能を付け、ペン型ポインティングディバイスによる書き込みを可能とし、本体とは別に表示器に電源を持たせた点で相違するものである。
【００２９】
このような特徴を有する記録計の構成は、図９に示すように、レコーダ本体部分１１と着脱可能な部分１２とに分離され、レコーダ本体部分１１にはアナログデータである測定データを入力してデジタルデータに変換するアナログデジタル変換器（ＡＤＣ）１３と、特定用途向けのアプリケーションを備えたＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）１４と、所定のプログラムを処理するＣＰＵ１５と、処理するデータを記憶する揮発性メモリＩＣ１６と、ＣＰＵ１５からの指示で表示するサブ表示器１７と、ＡＳＩＣ１４の処理で生成されたデータを記録する不揮発性メモリＩＣ１８と、ＡＳＩＣ１４で処理されたデータを書き込み或いは読み出す書き込み読み出し回路２２とからなる。
着脱可能な部分１２には、電源２９と、折り曲げ可能な表示器２４を備えたメイン表示器２３と、様々な操作をする操作回路３１と、操作回路３１で操作した内容を記憶する揮発性メモリＩＣ３２と、ペン型ポインティングディバイスを制御するポインティングディバイス回路３３とを備えた構成になっている。
【００３０】
この中で、メイン表示器２３は、折り曲げ可能な表示器２４と不揮発性メモリＩＣ２５を組み合わせたものであり、この不揮発性メモリＩＣ２５には、機器の設定内容、一定期間の測定データ等を保存するものであり、第１のメモリである不揮発性メモリＩＣ１８に記録されるデジタルデータと同じデータが蓄積される構成になっている。
【００３１】
このメイン表示器２３は、図７に示すように、レコーダ本体１１と着脱自在な構成になっており、書き込み読み出し回路２２と接続するコネクタ２６を設け、折り曲げ可能な表示器２４を折り曲げて収容部３４に収容した構成になっている。そして、図８に示すように、折り曲げ可能な表示器２４を本体から外した場合には、表示画面の操作を操作回路３１に接続されている操作部３５を使って行い、ポインティングディバイス回路３３に接続されているペン型ポインティングディバイス２８により画面上に書き込みを可能にする。
【００３２】
このような構造としたことにより、記録紙や記録紙に印字するインク等が不要となり、所謂、補用品を削減できる。
又、入力したデータは不揮発性メモリＩＣ２５に記憶し、適宜折り曲げ可能な表示器２４に表示することが可能なため、長期データの視認性向上を図ることができる。
更に、表示器を着脱自在にすることで、記録計から取り外して必要な場所で測定したデータを見ることができるため使い勝手のよい表示手段を得ることができる。
また、レコーダ本体から表示器を取り外してペン型ポインティングディバイスを利用して情報を追加することができ、更に操作部を使って表示画面の操作をすることが可能になる。
【産業上の利用可能性】
【００３３】
記録手段により記録されているデジタルデータを表示する表示手段は、着脱自在な構成にすると共に記録手段により記録されているデジタルデータと同じデータを保存するメモリ手段を備えた構成にしたことで、従来必要であった記録紙や記録紙に印字するインク等の補用品を削減することができる記録計を提供する。
【図面の簡単な説明】
【００３４】
【図１】本願発明の第１実施例の記録計の外観を示した説明図である。
【図２】同、折り曲げ可能な表示器を示した説明図である。
【図３】同、記録計をブロック図で示した説明図である。
【図４】本願発明の第２実施例の記録計の外観を示した説明図である。
【図５】同、折り曲げ可能な表示器を示した説明図である。
【図６】同、記録計をブロック図で示した説明図である。
【図７】本願発明の第３実施例の記録計の外観を示した説明図である。
【図８】同、折り曲げ可能な表示器を示した説明図である。
【図９】同、記録計をブロック図で示した説明図である。
【図１０】従来技術におけるペーパー記録計をブロック図で示した説明図である。
【図１１】従来技術におけるペーパーレス記録計をブロック図で示した説明図である。
【符号の説明】
【００３５】
１１      レコーダ本体部分
１２      着脱可能な部分
１３      アナログデジタル変換器
１４      ＡＳＩＣ
１５      ＣＰＵ
１６      揮発性メモリＩＣ
１７      サブ表示器
１８      不揮発性メモリＩＣ
１９      操作回路
２０      収容部
２１      ポインティングディバイス回路
２２      書き込み読み出し回路
２３      メイン表示器
２４      折り曲げ可能な表示器
２５      不揮発性メモリＩＣ
２６      コネクタ
２７      操作部
２８      ペン型ポインティングディバイス
２９      電源
３１      操作回路
３２      揮発性メモリＩＣ
３３      ポインティングディバイス回路
３４      収容部
３５      操作部
【図１】
2009236647.tif 000003
【図２】
2009236647.tif 000004
【図３】
2009236647.tif 000005
【図４】
2009236647.tif 000006
【図６】
2009236647.tif 000007
【図７】
2009236647.tif 000008
【図８】
2009236647.tif 000009
【図９】
2009236647.tif 000010
【図１０】
2009236647.tif 000011
【図１１】
2009236647.tif 000012
【図５】
2009236647.tif 000013